(57)【要約】  芯紐が上下フランジ間の隙間に挟まるのを防止することができ、また、噛合時のスライドファスナーの柔軟性を確保することができ、スライドファスナーの意匠性を高めることができるスライドファスナーを提供する。  スライダー３０の上下フランジ３３ａ，３３ｂ間の隙間Ｓ３の上下方向寸法Ｌ４が、５ｋｇｆ以上の圧力で押し潰された際の芯紐１３ａの表裏方向寸法Ｌ５より小さい。また、ファスナーエレメント列１４を構成するファスナーエレメント１５は、噛合時において、テープ部材１２の上下方向において独立して配置され、ファスナーエレメント１５は、テープ部材１２の表側に配置される意匠部１６と、テープ部材１２の裏側に配置され、隣り合うファスナーエレメント１５と噛合する噛合部１７と、を有し、意匠部１６は、噛合時において、隣り合う意匠部１６と離間して配置され、湾曲形状を呈した半球形状を有する。
2011040167.tif 000002
【特許請求の範囲】
【請求項１】
左右方向に平行に配置される一対のテープ部材（１２）と、
前記一対のテープ部材の対向するテープ側縁部（１３）に沿って設けられる芯紐（１３ａ）上に取り付けられる一対のファスナーエレメント列（１４）と、
前記一対のファスナーエレメント列が挿通され、前記一対のファスナーエレメント列を噛合・分離させるスライダー（３０）と、を備えるスライドファスナー（１０）であって、
前記ファスナーエレメント列の各々は、複数のファスナーエレメント（１５）から構成され、
前記ファスナーエレメントは、前記テープ部材の表側に配置される意匠部（１６）と、前記テープ部材の裏側に配置され、隣り合う前記ファスナーエレメントと噛合する噛合部（１７）と、を有し、
前記スライダーは、
上下方向に離間して平行配置される上翼板（３１）及び下翼板（３２）と、
前記上翼板の左右側縁に沿ってそれぞれ設けられる上フランジ（３３ａ）と、
前記下翼板の左右側縁に沿ってそれぞれ設けられる下フランジ（３３ｂ）と、
前記上翼板及び前記下翼板を連結する案内柱（３４）と、
前記上翼板、前記下翼板、及び前記上下フランジにより囲まれ、肩口（３６）及び後口（３７）を有する略Ｙ字状のエレメント案内路（３８）と、を備え、
前記上下フランジの板厚（Ｔ）が、前記複数のファスナーエレメント間の間隔（Ｃ１）より小さく、
前記上下フランジ間の隙間（Ｓ３）の上下方向寸法（Ｌ４）が、５ｋｇｆ以上の圧力で押し潰された際の前記芯紐の表裏方向寸法（Ｌ５）より小さいことを特徴とするスライドファスナー。
【請求項２】
前記複数のファスナーエレメント（１５）間の間隔（Ｃ２）は、前記ファスナーエレメントの前記意匠部（１６）の上下方向の長さ（Ｌ３）以上であり、
前記ファスナーエレメントは、噛合時において、前記テープ部材（１２）の上下方向において独立して配置されることを特徴とする請求項１に記載のスライドファスナー。
【請求項３】
前記芯紐（１３ａ）は、前記テープ部材（１２）の表裏方向に沿って２本以上配置され、前記テープ部材に織り込まれ或いは編み込まれることを特徴とする請求項１又は２に記載のスライドファスナー。
【請求項４】
前記上下フランジ（３３ａ，３３ｂ）は、その前端部に、前記テープ部材（１２）の長さ方向と平行に形成される平行部（３９）を有し、
前記平行部は、前記案内柱（３４）の前後方向長さの１／２より前方に延びていることを特徴とする請求項１〜３のいずれか１項に記載のスライドファスナー。
【請求項５】
前記ファスナーエレメント（１５）の後端部は、前記芯紐（１３ａ）より前記テープ部材（１２）側に形成されることを特徴とする請求項１〜４のいずれか１項に記載のスライドファスナー。
【請求項６】
前記意匠部（１６）は、噛合時において、隣り合う前記意匠部（１６）と離間して配置され、
前記ファスナーエレメントの先端部、且つ前記意匠部（１６）と前記噛合部との間に、噛合時において、相手側の前記テープ部材の前記テープ側縁部（１３）を収納するテープ収納溝（１９）が形成されることを特徴とする請求項１〜５のいずれか１項に記載のスライドファスナー。
【請求項７】
前記噛合部（１７）は、前記テープ部材（１２）に取り付けられる基部（２１）と、前記基部から相手側の前記テープ部材に向けて延設され、前記テープ収納溝（１９）が形成される噛合頭部（２２）と、前記基部と前記噛合頭部との間に形成される首部（２３）と、を有し、
前記噛合頭部は、上下方向に突出する係合部（２６）を有し、
前記係合部は、前記意匠部（１６）の上下端（１６ａ，１６ｂ）より上下方向にそれぞれ突出する第１係合部（２４）と、前記第１係合部と連続して、前記意匠部の上下端より凹状に形成される第２係合部（２５）と、を有し、
前記第１係合部は、前記テープ部材（１２）の表裏方向中心線（ＤＬ）よりも前記意匠部側に延びて形成されることを特徴とする請求項６に記載のスライドファスナー。
【請求項８】
前記第１係合部（２４）は、前記テープ収納溝（１９）の前記意匠部（１６）側の端部より表裏方向内側に形成されることを特徴とする請求項７に記載のスライドファスナー。
【請求項９】
前記意匠部（１６）は、湾曲形状を呈した半球形状を有することを特徴とする請求項６〜８のいずれか１項に記載のスライドファスナー。
【請求項１０】
前記一対のファスナーエレメント列（１４）が直線状に噛み合った状態において、前記第１係合部（２４）の上下方向の長さ（Ｌ１）は、互いに隣り合う前記意匠部（１６）間の隙間（Ｓ１）の上下方向の長さ（Ｌ２）より短く設定されることを特徴とする請求項７に記載のスライドファスナー。
【請求項１１】
前記第２係合部（２５）は、前記テープ部材（１２）の表裏方向中心線（ＤＬ）の近傍から前記噛合部（１７）の裏側端部に亘って形成されることを特徴とする請求項７に記載のスライドファスナー。
【発明の詳細な説明】
【技術分野】
【０００１】
この発明は、スライドファスナーに関する。
【背景技術】
【０００２】
従来のスライドファスナーとしては、左右一対のテープ部材と、左右一対のテープ部材の対向するテープ側縁部に沿って設けられる芯紐上に取り付けられる一対のファスナーエレメント列と、一対のファスナーエレメント列を噛合・分離させるスライダーと、を備えるものが知られている。【０００３】
また、従来、ファスナーエレメントの前面側の外形形状を、ボタンやフックなどと類似の形状として、装飾機能を持たせるようにしたスライドファスナーが開示されている（例えば、特許文献１〜３参照）。上記特許文献１に記載のスライドファスナーは、ファスナーエレメントの前部分及び後部分が略きのこ形の同一形状に形成されており、前面に模造宝石などを配置して装飾性が与えられている。上記特許文献２に記載のスライドファスナーは、ファスナーエレメントが、略矩形状の前部分と、歯部分及びこの歯部分に噛合する凹部が設けられた後部分とを備え、前部分に装飾性を付与したものである。上記特許文献３に記載のスライドファスナーは、矩形状に形成されたエレメント胴体の上部に球形のセグメントが形成され、エレメント胴体の下部に隣り合うエレメントの球形のセグメントが係合可能なように、半球状の窪みが形成されており、エレメント胴体の前面に宝石などを配置して装飾性が与えられている。また、上記特許文献１〜３に記載のスライドファスナーは、意匠性を向上させるため、エレメントが噛合したときに、エレメント列が直線状に配置されるようにファスナーストリンガーに取り付けられている。
【先行技術文献】
【特許文献】
【０００４】
【特許文献１】米国特許第５５１１２９２号明細書
【特許文献２】日本国特開昭４９−１３４０号公報
【特許文献３】米国特許第２８６７８７９号明細書
【発明の概要】
【発明が解決しようとする課題】
【０００５】
しかしながら、上記特許文献１〜３に記載のスライドファスナーでは、エレメント列を直線状に配置させるために、エレメントが、各ファスナーストリンガーの隣り合うエレメントの間隔を広くした状態で取り付けられているため、テープ部材がスライダーの幅方向外側に引っ張られた際に、エレメント間の露出した芯紐がスライダーの上下フランジに接触することで押し潰され、芯紐が上下フランジ間の隙間から外側に抜け出したり、上下フランジ間の隙間に挟まったりする可能性があった。【０００６】
本発明は、前述した課題に鑑みてなされたものであり、その目的は、芯紐が上下フランジ間の隙間から外側に抜け出す、あるいは、上下フランジ間の隙間に挟まるのを防止することができ、更には噛合時のスライドファスナーの柔軟性を確保することができ、スライドファスナーの意匠性を高めることができるスライドファスナーを提供することにある。
【課題を解決するための手段】
【０００７】
本発明の上記目的は、下記の構成により達成される。
（１）左右方向に平行に配置される一対のテープ部材と、一対のテープ部材の対向するテープ側縁部に沿って設けられる芯紐上に取り付けられる一対のファスナーエレメント列と、一対のファスナーエレメント列が挿通され、一対のファスナーエレメント列を噛合・分離させるスライダーと、を備えるスライドファスナーであって、ファスナーエレメント列の各々は、複数のファスナーエレメントから構成され、ファスナーエレメントは、テープ部材の表側に配置される意匠部と、テープ部材の裏側に配置され、隣り合うファスナーエレメントと噛合する噛合部と、を有し、スライダーは、上下方向に離間して平行配置される上翼板及び下翼板と、上翼板の左右側縁に沿ってそれぞれ設けられる上フランジと、下翼板の左右側縁に沿ってそれぞれ設けられる下フランジと、上翼板及び下翼板を連結する案内柱と、上翼板、下翼板、及び上下フランジにより囲まれ、肩口及び後口を有する略Ｙ字状のエレメント案内路と、を備え、上下フランジの板厚が、複数のファスナーエレメント間の間隔より小さく、上下フランジ間の隙間の上下方向寸法が、５ｋｇｆ以上の圧力で押し潰された際の芯紐の表裏方向寸法より小さいことを特徴とするスライドファスナー。
（２）複数のファスナーエレメント間の間隔は、ファスナーエレメントの意匠部の上下方向の長さ以上であり、ファスナーエレメントは、噛合時において、テープ部材の上下方向において独立して配置されることを特徴とする（１）に記載のスライドファスナー。
（３）芯紐は、テープ部材の表裏方向に沿って２本以上配置され、テープ部材に織り込まれ或いは編み込まれることを特徴とする（１）又は（２）に記載のスライドファスナー。
（４）上下フランジは、その前端部に、テープ部材の長さ方向と平行に形成される平行部を有し、平行部は、案内柱の前後方向長さの１／２より前方に延びていることを特徴とする（１）〜（３）のいずれかに記載のスライドファスナー。
（５）ファスナーエレメントの後端部は、芯紐よりテープ部材側に形成されることを特徴とする（１）〜（４）のいずれかに記載のスライドファスナー。
（６）意匠部は、噛合時において、隣り合う意匠部と離間して配置され、ファスナーエレメントの先端部、且つ意匠部と噛合部との間に、噛合時において、相手側のテープ部材のテープ側縁部を収納するテープ収納溝が形成されることを特徴とする（１）〜（５）のいずれかに記載のスライドファスナー。
（７）噛合部は、テープ部材に取り付けられる基部と、基部から相手側のテープ部材に向けて延設され、テープ収納溝が形成される噛合頭部と、基部と噛合頭部との間に形成される首部と、を有し、噛合頭部は、上下方向に突出する係合部を有し、係合部は、意匠部の上下端より上下方向にそれぞれ突出する第１係合部と、第１係合部と連続して、意匠部の上下端より凹状に形成される第２係合部と、を有し、第１係合部は、テープ部材の表裏方向中心線よりも意匠部側に延びて形成されることを特徴とする（６）に記載のスライドファスナー。
（８）第１係合部は、テープ収納溝の意匠部側の端部より表裏方向内側に形成されることを特徴とする（７）に記載のスライドファスナー。
（９）意匠部は、湾曲形状を呈した半球形状を有することを特徴とする（６）〜（８）のいずれかに記載のスライドファスナー。
（１０）一対のファスナーエレメント列が直線状に噛み合った状態において、第１係合部の上下方向の長さは、互いに隣り合う意匠部間の隙間の上下方向の長さより短く設定されることを特徴とする（７）に記載のスライドファスナー。
（１１）第２係合部は、テープ部材の表裏方向中心線の近傍から噛合部の裏側端部に亘って形成されることを特徴とする（７）に記載のスライドファスナー。
【発明の効果】
【０００８】
本発明のスライドファスナーによれば、上下フランジ間の隙間の上下方向寸法が、５ｋｇｆ以上の圧力で押し潰された際の芯紐の表裏方向寸法より小さいため、芯紐が上下フランジ間の隙間から外側に抜け出すことがなく、芯紐がその隙間に挟まるのを防止することができる。【０００９】
また、本発明のスライドファスナーによれば、ファスナーエレメントは、噛合時において、テープ部材の上下方向において独立して配置され、ファスナーエレメントは、テープ部材の表側に配置される意匠部と、テープ部材の裏側に配置され、隣り合うファスナーエレメントと噛合する噛合部と、を有し、意匠部は、噛合時において、隣り合う意匠部と離間して配置され、湾曲形状を呈した半球形状を有するため、噛合時のスライドファスナーの柔軟性を確保することができ、スライドファスナーの意匠性を高めることができる。
【図面の簡単な説明】
【００１０】
【図１】本発明に係るスライドファスナーを表面側から見た表面図である。
【図２】図１に示すスライドファスナーのスライダーの周辺の拡大断面図である。
【図３】ファスナーエレメントを裏面側から見た拡大裏面図である。
【図４】ファスナーエレメントを表面側から見た斜視図である。
【図５】ファスナーエレメントを裏面側から見た斜視図である。
【図６】図３のＡ−Ａ線矢視断面図である。
【図７】図６のＢ−Ｂ線矢視断面図である。
【図８】ファスナーエレメントがエレメント案内路内に挿通された状態のスライダーを肩口側から見た図である。
【図９】テープ部材が引っ張られ２本の芯紐がスライダーの上下フランジに接触した状態を説明する拡大図である。
【図１０】測定器の正面図である。
【図１１】噛合状態のスライドファスナーを裏側に凸の状態に湾曲させた場合の図７相当の断面図である。
【図１２】噛合状態のスライドファスナーを表側に凸の状態に湾曲させた場合の図７相当の断面図である。
【図１３】噛合状態のスライドファスナーを左右方向に湾曲させた状態の裏面図である。
【図１４】本発明に係るスライドファスナーの変形例を示す図であり、（ａ）はファスナーエレメントの表面図、（ｂ）はファスナーエレメントを（ａ）の矢印Ｃ方向から見た図である。
【発明を実施するための形態】
【００１１】
以下、本発明に係るスライドファスナーの一実施形態について、図面に基づいて詳細に説明する。なお、以後の説明において、テープ部材及びファスナーエレメントに関しては、表側とは図１の紙面に対して手前側、裏側とは図１の紙面に対して奥側、上側とは図１の紙面に対して上側、下側とは図１の紙面に対して下側、左側とは図１の紙面に対して左側、右側とは図１の紙面に対して右側とし、図面に表側をＨｓ、裏側をＢｓ、上側をＵ、下側をＤ、左側をＬ，右側をＲとして示す。また、スライダーに関しては、上側とは図１の紙面に対して手前側、下側とは図１の紙面に対して奥側、前側とは図１の紙面に対して上側、後側とは図１の紙面に対して下側、左側とは図１の紙面に対して左側、右側とは図１の紙面に対して右側とする。また、テープ部材及びスライダーの左右方向は幅方向とも言う。また、テープ部材の上下方向は長さ方向とも言う。
【００１２】
本実施形態のスライドファスナー１０は、図１に示すように、ファスナーストリンガー１１と、スライダー３０と、を備える。また、必要に応じてテープ部材の上下端部に図示しない公知の止部や、開離嵌挿具を備える。ファスナーストリンガー１１は、左右方向に平行に配置される左右一対のテープ部材１２と、左右一対のテープ部材１２の対向するテープ側縁部１３に取り付けられる左右一対のファスナーエレメント列１４と、を備える。そして、スライダー３０をファスナーストリンガー１１の長さ方向に移動させることにより、左右一対のファスナーエレメント列１４が噛合・分離される。
【００１３】
ファスナーエレメント列１４の各々は、複数のファスナーエレメント１５から構成されており、このファスナーエレメント１５は、例えば、ポリアミド、ポリアセタール、ポリプロピレン、ポリブチレンテレフタレートなどの合成樹脂を用いて、テープ部材１２のテープ側縁部１３に射出成形されている。
【００１４】
スライダー３０は、図１、図２、及び図８に示すように、上下方向に離間して平行配置される上翼板３１及び下翼板３２と、上翼板３１の左右両側縁に沿って設けられ、下翼板３２に向けて形成される左右一対の上フランジ３３ａと、下翼板３２の左右両側縁に沿って設けられ、上翼板３１に向けて形成される左右一対の下フランジ３３ｂと、上翼板３１及び下翼板３２を前端部において連結する案内柱３４と、上翼板３１の上面に設けられる引手取付部３５と、引手取付部３５に回動自在に取り付けられる不図示の引手と、を備える。これにより、スライダー３０の前部には案内柱３４により分離された左右の肩口３６が形成され、スライダー３０の後部には後口３７が形成される。そして、上翼板３１と下翼板３２との間には、左右の肩口３６と後口３７とを連通する略Ｙ字状のエレメント案内路３８が設けられており、このエレメント案内路３８は、左右一対のファスナーエレメント列１４を挿通させる通路を構成する。
【００１５】
また、図２に示すように、上下フランジ３３ａ，３３ｂの板厚Ｔは、複数のファスナーエレメント１５間の間隔Ｃ１より小さく設定されている。
【００１６】
図２〜図６に示すように、ファスナーエレメント１５は、テープ部材１２の表側に配置される意匠部１６と、テープ部材１２の裏側に配置され、隣り合うファスナーエレメント１５と噛合する噛合部１７と、を有する。また、意匠部１６と噛合部１７との間（表裏方向の中間部）の一方の側部には、テープ側縁部１３を挿通固定するテープ固定溝１８が上下方向に沿って形成され、他方の側部、即ち、噛合頭部２２側の側部には、相手側のテープ部材１２のテープ側縁部１３を収納する略Ｕ字状のテープ収納溝１９が上下方向に沿って形成されている。また、意匠部１６は、噛合時において、隣り合う意匠部１６と離間して配置されている。
【００１７】
意匠部１６は、図２〜図７に示すように、表方向視において、意匠部１６の左右方向中心線ＨＬを基準として上下対称、且つ上下方向中心線ＶＬを基準として左右対称の略長円形状に形成されると共に、上下方向視及び左右方向視において、全体的に湾曲形状を呈した略半球形状に形成される。また、図２に示すように、複数のファスナーエレメント１５の意匠部１６間の間隔Ｃ２は、意匠部１６の上下方向の長さＬ３以上に設定されている。これにより、左右一対のファスナーエレメント列１４が噛合したとき、複数のファスナーエレメント１５の意匠部１６は、テープ部材１２の上下方向において独立して配置される。なお、意匠部１６は、表側から見たときのデザイン性に優れ、角部がなく、スライドファスナー１０の柔軟性を確保できる形状であればよく、円形状や楕円形状などの任意の形状とすることが可能である。また、意匠部１６の左右両側面１６ｃ，１６ｃは、左右方向中心線ＨＬから上下方向に漸次湾曲する湾曲面によって形成されている。
【００１８】
噛合部１７は、図３及び図５に示すように、テープ部材１２に取り付けられる基部２１と、基部２１から相手側のテープ部材１２に向けて延設され、テープ収納溝１９が形成される噛合頭部２２と、基部２１と噛合頭部２２との間に形成される噛合頭部２２よりも上下方向において幅狭な首部２３と、を備える。また、噛合部１７の左右両側面２１ｃ，２２ｃは、左右方向中心線ＨＬから上下方向に漸次湾曲する湾曲面によって形成されている。
【００１９】
また、噛合部１７は、意匠部１６の上端１６ａ及び下端１６ｂより上下方向にそれぞれ突出する第１係合部２４と、第１係合部２４と連続し意匠部１６の上下端１６ａ，１６ｂより凹状に形成される第２係合部２５と、からなる係合部２６が上下方向に突出して形成されている。また、本実施形態では、第１係合部２４の上下方向の長さＬ１は、左右一対のファスナーエレメント列１４が直線状に噛み合った状態において、互いに隣り合う意匠部１６間の隙間Ｓ１の上下方向の長さＬ２より短く設定されている。換言すれば、第１係合部２４の上下方向の長さＬ１は、隣り合うファスナーエレメント１５の意匠部１６の上下端１６ａ，１６ｂに接触しない長さに設定されている。また、第１係合部２４の上下端と隣り合うファスナーエレメント１５の第２係合部２５の起立部（第２係合部２５と首部２３との境界）との間には隙間Ｓ２が形成されている。
【００２０】
また、図６及び図７に示すように、第１係合部２４は、テープ部材１２の表裏方向中心線ＤＬよりも意匠部１６側に延びて形成され、且つテープ収納溝１９の意匠部１６側の端面より表裏方向中心線ＤＬ側に形成される。また、第２係合部２５は、テープ部材１２の表裏方向中心線ＤＬの近傍から噛合部１７の裏側端部に亘って形成されている。さらに、ファスナーエレメント１５の上下方向に形成された第２係合部２５同士は、噛合部１７の表方向から裏方向に向けて互いに接近するように形成されている。
【００２１】
また、図３、図５、及び図６に示すように、噛合頭部２２の上下面２２ａ，２２ｂは、首部２３から噛合頭部２２の左右方向の外端部２２ｃに向けて漸次幅狭になる傾斜面によって形成されている。また、基部２１の上下面２１ａ，２１ｂは、首部２３から基部２１の左右方向の外端部２１ｃに向けて漸次幅広になる傾斜面によって形成されている。そして、基部２１の上下面２１ａ，２１ｂは、外端部２１ｃから首部２３に向けて漸次幅広となる湾曲面によって形成され、つまり、上下面２１ａ，２１ｂは、裏方向視において略円弧状の湾曲面を成す。
【００２２】
また、図４〜図６に示すように、テープ側縁部１３には、２本の芯紐１３ａがテープ部材１２の表裏方向に沿ってそれぞれ２本以上織り込み又は編み込まれている。これにより、図９に示すように、テープ部材１２がスライダー３０の幅方向外側に引っ張られたとしても、表裏方向中心線ＤＬを境界としてテープ部材１２の表裏方向両側にそれぞれ１本ずつ芯紐１３ａが固定されているので、各芯紐１３ａに対して一方向からの力しか加わらない。つまり、表側の芯紐１３ａには実質的に上フランジ３３ａからの力しか加わらず、裏側の芯紐１３ａには実質的に下フランジ３３ｂからの力しか加わらないので、芯紐１３ａが極端に押し潰されることはない（図９の一点鎖線参照）。
【００２３】
さらに、図８及び図９に示すように、上下フランジ３３ａ，３３ｂ間の隙間Ｓ３の上下方向寸法Ｌ４は、上記したテープ部材１２が幅方向外側に引っ張られた際（横引き力）の２本の芯紐１３ａの表裏方向寸法Ｌ５より小さく設定されている。これにより、２本の芯紐１３ａが、上下フランジ３３ａ，３３ｂ間の隙間Ｓ３から外側に抜け出すことがないので、２本の芯紐１３ａがその隙間Ｓ３に挟まることはない。
【００２４】
なお、上記したテープ部材１２が幅方向外側に引っ張られた際の２本の芯紐１３ａの表裏方向寸法Ｌ５は、図１０に示す測定器４０によって測定することが可能である。この測定器４０は、テープ部材１２の２本の芯紐１３ａ（テープ側縁部１３）を収容する略Ｖ字状の芯紐収容溝４１ａが上面に形成される下金型４１と、下金型４１に対して下降するように設けられ、芯紐収容溝４１ａに収容された２本の芯紐１３ａを押し潰す略逆Ｖ字状の芯紐押圧溝４２ａが下面に形成される上金型４２と、を備える。また、芯紐収容溝４１ａ及び芯紐押圧溝４２ａの角度は９０°に設定されている。また、下金型４１には、芯紐収容溝４１ａの底部に連続して、テープ部材１２を収容するテープ収容部４１ｂが形成されている。そして、測定器４０による測定は、上金型４２で２本の芯紐１３ａを下金型４１に対して押し潰すことにより行われ、上金型４２に所定の圧力が加えられた際の芯紐収容溝４１ａと芯紐押圧溝４２ａの交点Ｐ１，Ｐ２間の圧縮寸法（ＰＭ（Ｐｒｅｓｓｕｒｅ  Ｍｅａｓｕｒｅｍｅｎｔ）値）Ｄを測定することができる。
【００２５】
ここで、上記２本の芯紐１３ａに加わる圧力は、表裏方向寸法Ｌ５に相当し、本発明のテープ部材１２を衣服やバックなどの被着体に取り付けて使用した場合にテープ部材１２にかかる横引き力を想定して、５ｋｇｆとする。すなわち、本発明では、上下フランジ３３ａ，３３ｂ間の隙間Ｓ３の上下方向寸法Ｌ４が、５ｋｇｆ以上の圧力で押し潰された際の芯紐１３ａの表裏方向寸法Ｌ５より小さく設定されることで、被着体にテープ部材１２を取り付けて使用した場合でも、横引き力によって上下フランジ３３ａ，３３ｂ間の隙間Ｓ３に芯紐１３ａが挟まることを防止することができる。
【００２６】
また、図２に示すように、上下フランジ３３ａ，３３ｂの前端部には、テープ部材１２の長さ方向と平行に延びる平行部３９がそれぞれ形成されており、この平行部３９は、案内柱３４の前後方向長さの１／２より前方に延びている。この平行部３９により、スライダー３０の肩口３６に入り込むファスナーエレメント１５の姿勢が噛合位置のある程度手前で整えられ、テープ部材１２のねじり変形などの変形が防止されるので、上下フランジ３３ａ，３３ｂ間の隙間Ｓ３に芯紐１３ａが引っ掛かり難くなる。
【００２７】
また、図３及び図６に示すように、ファスナーエレメント１５の意匠部１６及び噛合部１７の後端部（外端部２１ｃ側の端部）は、芯紐１３ａよりテープ部材１２側（すなわち、芯紐１３ａが固定された側縁とは反対側の側縁側）に形成されている。これにより、ファスナーエレメント１５が上下フランジ３３ａ，３３ｂに噛合部１７の後端部が接触しながらスライダー３０内を移動するので、芯紐１３ａがスライダー３０の上下フランジ３３ａ，３３ｂに接触し難くなり、芯紐１３ａの損傷が防止される。また、芯紐１３ａよりテープ部材１２側に形成された噛合部１７の後端部が湾曲した形状であるため、スムーズにスライダー３０内に案内される。
【００２８】
このように構成されたスライドファスナー１０では、意匠部１６が、表方向視において、意匠部１６の左右方向中心線ＨＬを基準として上下対称、且つ上下方向中心線ＶＬを基準として左右対称の略長円形状に形成されるので、スライドファスナー１０の柔軟性が確保されると共に、スライドファスナー１０の意匠性が高められる。また、スライダー３０のエレメント案内路３８に挿通される時も、肩口３６側の開口部で引っ掛かることがないので、スライダー３０の摺動性も確保される。
【００２９】
また、意匠部１６が、上下方向視及び左右方向視において、全体的に湾曲形状を呈した略半球形状に形成されているため、図１１に示すように、スライドファスナー１０を裏側に凸の状態に湾曲させたとしても、隣り合う意匠部１６同士がすぐに干渉することがないので、スライドファスナー１０の柔軟性が高められる。また、互いに隣り合うファスナーエレメント１５間に隙間Ｓ１が設けられるため、スライドファスナー１０の柔軟性が更に高められる。
【００３０】
また、スライドファスナー１０を裏側に凸の状態に湾曲させたとしても、テープ部材１２の表裏方向中心線ＤＬよりも意匠部１６側に延びて形成された第１係合部２４が互いに係合するので、左右一対のファスナーエレメント列１４の係合を維持しつつ、スライドファスナー１０の柔軟性が高められる。また、図１１に見られる位置よりも裏側に凸の状態に湾曲させようとしても、今後は隣り合う意匠部１６の上下湾曲面が当接し、それ以上の屈曲を防止する。このように、意匠部１６の表面から上下面の間に形成された湾曲面同士が当接するので、一定以上湾曲させたとしても、ファスナーエレメント列１４の係合を維持しつつ、スライドファスナー１０の柔軟性を確保している。
【００３１】
また、図１２に示すように、スライドファスナー１０を表側に凸の状態に湾曲させると、隙間Ｓ２が設けられるため、スライドファスナー１０の柔軟性を確保でき、また、直線状に噛合している状態では係合に寄与していなかった第２係合部２５が互いに係合して、係合部２６の係合面積が広くなるので、左右一対のファスナーエレメント列１４の係合が強固になる。
【００３２】
また、噛合頭部２２の上下面２２ａ，２２ｂが、首部２３から噛合頭部２２の左右方向の外端部２２ｃに向けて漸次幅狭になる傾斜面によって形成され、第１係合部２４の上下端と隣り合うファスナーエレメント１５の第２係合部２５の起立部との間に隙間Ｓ２が形成されるので、図１３に示すように、スライドファスナー１０を左右方向に湾曲させたとしても、隣り合う噛合部１７同士がすぐに干渉することがないので、スライドファスナー１０の柔軟性が高められる。
【００３３】
以上説明したように、本実施形態のスライドファスナー１０によれば、上下フランジ３３ａ，３３ｂ間の隙間Ｓ３の上下方向寸法Ｌ４が、５ｋｇｆの圧力で押し潰された際の２本の芯紐１３ａの表裏方向寸法Ｌ５より小さいため、芯紐１３ａが上下フランジ３３ａ，３３ｂ間の隙間Ｓ３から外側に抜け出すことがなく、芯紐１３ａがその隙間Ｓ３に挟まるのを防止することができる。
【００３４】
また、本実施形態のスライドファスナー１０によれば、複数のファスナーエレメント１５間の間隔Ｃ２が、ファスナーエレメント１５の意匠部１６の上下方向の長さＬ３以上であり、ファスナーエレメント１５が、噛合時において、テープ部材１２の上下方向において独立して配置されるようなスライドファスナーを使用しても、芯紐１３ａが上下フランジ３３ａ，３３ｂ間の隙間Ｓ３から外側に抜け出すことがなく、芯紐１３ａがその隙間Ｓ３に挟まるのを防止することができる。
【００３５】
また、本実施形態のスライドファスナー１０によれば、芯紐１３ａは、テープ部材１２の表裏方向両側に１本ずつ配置された状態で固定されているので、芯紐１３ａに強い横引き力が加わっても芯紐１３ａが極端に変形するのを防止することができる。これにより、芯紐１３ａが上下フランジ３３ａ，３３ｂ間の隙間Ｓ３から外側に抜け出すことがなく、芯紐１３ａがその隙間Ｓ３に挟まるのを防止することができる。
【００３６】
また、本実施形態のスライドファスナー１０によれば、上下フランジ３３ａ，３３ｂは、その前端部に、テープ部材１２の長さ方向と平行に形成される平行部３９を有し、平行部３９は、案内柱３４の前後方向長さの１／２より前方に延びているため、この平行部３９により、スライダー３０の肩口３６に入り込むファスナーエレメント１５の姿勢を噛合位置のある程度手前で整えることができ、テープ部材１２のねじり変形などの変形を防止することができる。これにより、上下フランジ３３ａ，３３ｂ間の隙間Ｓ３に芯紐１３ａが引っ掛かり難くすることができる。
【００３７】
また、本実施形態のスライドファスナー１０によれば、ファスナーエレメント１５の後端部が、芯紐１３ａよりテープ部材１２側に形成されるため、スライダー３０の上下フランジ３３ａ，３３ｂが芯紐１３ａに接触し難くなるので、芯紐１３ａの損傷を防止することができる。
【００３８】
また、ファスナーエレメント１５は、噛合時において、テープ部材１２の上下方向において独立して配置され、ファスナーエレメント１５は、テープ部材１２の表側に配置される意匠部１６と、テープ部材１２の裏側に配置され、隣り合うファスナーエレメント１５と噛合する噛合部１７と、を有し、この意匠部１６が、噛合時において、隣り合う意匠部１６と離間して配置され、全体的に湾曲形状を呈した略半球形状を有するため、噛合時のスライドファスナー１０の柔軟性を確保することができると共に、スライドファスナー１０の意匠性を高めることができる。
【００３９】
また、本実施形態のスライドファスナー１０によれば、意匠部１６が、意匠部１６の左右方向中心線ＨＬを基準として上下対称、且つ上下方向中心線ＶＬを基準として左右対称の略長円形状に形成されるため、意匠部１６がバランスのとれた形状となり、意匠部１６の意匠性を更に高めることができる。
【００４０】
また、本実施形態のスライドファスナー１０によれば、意匠部１６が、上下方向視及び左右方向視において、全体的に湾曲形状を呈した略半球形状に形成されているため、スライドファスナー１０を裏側に凸の状態に湾曲させたとしても、隣り合う意匠部１６同士が干渉することがないので、スライドファスナー１０の柔軟性を高めることができる。また、互いに隣り合うファスナーエレメント１５間に隙間Ｓ１が設けられるため、スライドファスナー１０の柔軟性を更に高めることができる。
【００４１】
また、本実施形態のスライドファスナー１０によれば、第１係合部２４が、テープ部材１２の表裏方向中心線ＤＬよりも意匠部１６側に延びて形成されるため、スライドファスナー１０を裏側に凸の状態に湾曲させたとしても、第１係合部２４同士の係合が解除されることはないので、左右一対のファスナーエレメント列１４の係合を維持しつつ、スライドファスナー１０の柔軟性を高めることができる。
【００４２】
また、本実施形態のスライドファスナー１０によれば、第２係合部２５が、テープ部材１２の表裏方向中心線ＤＬの近傍から噛合部１７の裏側端部に亘って形成され、第１係合部２４の上下端と隣り合うファスナーエレメント１５の第２係合部２５の起立部との間に隙間Ｓ２が形成されるため、スライドファスナー１０を表側に凸の状態に湾曲させた場合、直線状に噛合している状態では係合に寄与していなかった第２係合部２５が互いに係合して、係合部２６の係合面積が広くなるので、左右一対のファスナーエレメント列１４の係合を強固にしつつ、柔軟性を高めることができる。
【００４３】
また、本実施形態のスライドファスナー１０によれば、噛合頭部２２の上下面２２ａ，２２ｂが、首部２３から噛合頭部２２の左右方向の外端部２２ｃに向けて漸次幅狭になる傾斜面によって形成され、第１係合部２４の上下端と隣り合うファスナーエレメント１５の第２係合部２５の起立部との間に隙間Ｓ２が形成されるため、スライドファスナー１０を左右方向に湾曲させたとしても、隣り合う噛合部１７同士が干渉することがないので、スライドファスナー１０の柔軟性を高めることができる。
【００４４】
また、本実施形態のスライドファスナー１０によれば、ファスナーエレメント１５の意匠部１６の左右両側面１６ｃ，１６ｃ及び噛合部１７の左右両側面２１ｃ，２２ｃが半円状の湾曲面によって形成されるため、ファスナーエレメント１５がスライダー３０のエレメント案内路３８に入り込み易い。これにより、スライダー３０を少ない力で操作することができるので、スライドファスナー１０の開閉を容易にすることができる。
【００４５】
なお、本発明は上記実施形態に限定されず、本発明の技術的思想の範囲内において様々に変更が可能である。
例えば、上記実施形態では、スライドファスナー１０の柔軟性を確保するために、意匠部１６のうち少なくともテープ接触面から意匠部１６の表側頂点（意匠部１６における左右方向中心線ＨＬと上下方向中心線ＶＬとの交点）に向けた湾曲面が、少なくともテープ接触面側から形成されてあればよく、図１４に示す変形例のように、ファスナーエレメント１５の意匠部１６に、テープ部材１２と平行な平坦部２８を形成するようにしてもよい。これにより、ファスナーエレメント１５に上記実施形態と異なる意匠を付与することができる。
また、本実施形態では、第１係合部２４の上下方向の長さＬ１は、左右一対のファスナーエレメント列１４が直線状に噛み合った状態において、互いに隣り合う意匠部１６間の隙間Ｓ１の上下方向の長さＬ２と同じ長さに設定されてもよい。これにより、柔軟性を多少犠牲にして係合強度を高めることが可能である。
【符号の説明】
【００４６】
１０    スライドファスナー
１２    テープ部材
１３    テープ側縁部
１３ａ  芯紐
１４    ファスナーエレメント列
１５    ファスナーエレメント
１６    意匠部
１６ａ  意匠部の上端
１６ｂ  意匠部の下端
１６ｃ  意匠部の左右方向の側面
１７    噛合部
１９    テープ収納溝
２１    基部
２１ａ  基部の上面
２１ｂ  基部の下面
２１ｃ  基部の左右方向の外端部（側面）
２２    噛合頭部
２２ａ  噛合頭部の上面
２２ｂ  噛合頭部の下面
２２ｃ  噛合頭部の左右方向の外端部（側面）
２３    首部
２４    第１係合部
２５    第２係合部
２６    係合部
３０    スライダー
３１    上翼板
３２    下翼板
３３ａ  上フランジ
３３ｂ  下フランジ
３４    案内柱
３５    引手取付部
３６    肩口
３７    後口
３８    エレメント案内路
３９    平行部
ＨＬ    ファスナーエレメントの左右方向中心線
ＶＬ    ファスナーエレメントの上下方向中心線
ＤＬ    テープ部材の表裏方向中心線
Ｓ１    隙間
Ｓ２    隙間
Ｓ３    隙間
Ｌ１    第１係合部の上下方向の長さ
Ｌ２    意匠部間の隙間の上下方向の長さ
Ｌ３    意匠部の上下方向の長さ
Ｌ４    上下フランジ間の隙間の上下方向寸法
Ｌ５    芯紐の表裏方向寸法
Ｃ１    ファスナーエレメント間の間隔
Ｃ２    意匠部間の間隔
Ｔ    上下フランジの板厚
【図１】
2011040167.tif 000003
【図２】
2011040167.tif 000004
【図３】
2011040167.tif 000005
【図４】
2011040167.tif 000006
【図５】
2011040167.tif 000007
【図６】
2011040167.tif 000008
【図７】
2011040167.tif 000009
【図８】
2011040167.tif 000010
【図９】
2011040167.tif 000011
【図１０】
2011040167.tif 000012
【図１１】
2011040167.tif 000013
【図１２】
2011040167.tif 000014
【図１３】
2011040167.tif 000015
【図１４】
2011040167.tif 000016
【手続補正書】
【提出日】平成24年1月30日(2012.1.30)
【手続補正１】
【補正対象書類名】特許請求の範囲
【補正対象項目名】請求項１
【補正方法】変更
【補正の内容】
【請求項１】
左右方向に平行に配置される一対のテープ部材（１２）と、
前記一対のテープ部材の対向するテープ側縁部（１３）に沿って設けられる芯紐（１３ａ）上に取り付けられる一対のファスナーエレメント列（１４）と、
前記一対のファスナーエレメント列が挿通され、前記一対のファスナーエレメント列を噛合・分離させるスライダー（３０）と、を備えるスライドファスナー（１０）であって、
前記ファスナーエレメント列の各々は、複数のファスナーエレメント（１５）から構成され、
前記ファスナーエレメントは、前記テープ部材の表側に配置される意匠部（１６）と、前記テープ部材の裏側に配置され、隣り合う前記ファスナーエレメントと噛合する噛合部（１７）と、を有し、
前記スライダーは、
上下方向に離間して平行配置される上翼板（３１）及び下翼板（３２）と、
前記上翼板の左右側縁に沿ってそれぞれ設けられる上フランジ（３３ａ）と、
前記下翼板の左右側縁に沿ってそれぞれ設けられる下フランジ（３３ｂ）と、
前記上翼板及び前記下翼板を連結する案内柱（３４）と、
前記上翼板、前記下翼板、及び前記上下フランジにより囲まれ、肩口（３６）及び後口（３７）を有する略Ｙ字状のエレメント案内路（３８）と、を備え、
前記上下フランジの板厚（Ｔ）が、前記複数のファスナーエレメント間の間隔（Ｃ１）より小さく、
前記上下フランジ間の隙間（Ｓ３）の上下方向寸法（Ｌ４）が、５ｋｇｆの圧力で押し潰された際の前記芯紐の表裏方向寸法（Ｌ５）より小さいことを特徴とするスライドファスナー。
【手続補正２】
【補正対象書類名】明細書
【補正対象項目名】０００７
【補正方法】変更
【補正の内容】
【０００７】
本発明の上記目的は、下記の構成により達成される。
（１）左右方向に平行に配置される一対のテープ部材と、一対のテープ部材の対向するテープ側縁部に沿って設けられる芯紐上に取り付けられる一対のファスナーエレメント列と、一対のファスナーエレメント列が挿通され、一対のファスナーエレメント列を噛合・分離させるスライダーと、を備えるスライドファスナーであって、ファスナーエレメント列の各々は、複数のファスナーエレメントから構成され、ファスナーエレメントは、テープ部材の表側に配置される意匠部と、テープ部材の裏側に配置され、隣り合うファスナーエレメントと噛合する噛合部と、を有し、スライダーは、上下方向に離間して平行配置される上翼板及び下翼板と、上翼板の左右側縁に沿ってそれぞれ設けられる上フランジと、下翼板の左右側縁に沿ってそれぞれ設けられる下フランジと、上翼板及び下翼板を連結する案内柱と、上翼板、下翼板、及び上下フランジにより囲まれ、肩口及び後口を有する略Ｙ字状のエレメント案内路と、を備え、上下フランジの板厚が、複数のファスナーエレメント間の間隔より小さく、上下フランジ間の隙間の上下方向寸法が、５ｋｇｆの圧力で押し潰された際の芯紐の表裏方向寸法より小さいことを特徴とするスライドファスナー。
（２）複数のファスナーエレメント間の間隔は、ファスナーエレメントの意匠部の上下方向の長さ以上であり、ファスナーエレメントは、噛合時において、テープ部材の上下方向において独立して配置されることを特徴とする（１）に記載のスライドファスナー。
（３）芯紐は、テープ部材の表裏方向に沿って２本以上配置され、テープ部材に織り込まれ或いは編み込まれることを特徴とする（１）又は（２）に記載のスライドファスナー。
（４）上下フランジは、その前端部に、テープ部材の長さ方向と平行に形成される平行部を有し、平行部は、案内柱の前後方向長さの１／２より前方に延びていることを特徴とする（１）〜（３）のいずれかに記載のスライドファスナー。
（５）ファスナーエレメントの後端部は、芯紐よりテープ部材側に形成されることを特徴とする（１）〜（４）のいずれかに記載のスライドファスナー。
（６）意匠部は、噛合時において、隣り合う意匠部と離間して配置され、ファスナーエレメントの先端部、且つ意匠部と噛合部との間に、噛合時において、相手側のテープ部材のテープ側縁部を収納するテープ収納溝が形成されることを特徴とする（１）〜（５）のいずれかに記載のスライドファスナー。
（７）噛合部は、テープ部材に取り付けられる基部と、基部から相手側のテープ部材に向けて延設され、テープ収納溝が形成される噛合頭部と、基部と噛合頭部との間に形成される首部と、を有し、噛合頭部は、上下方向に突出する係合部を有し、係合部は、意匠部の上下端より上下方向にそれぞれ突出する第１係合部と、第１係合部と連続して、意匠部の上下端より凹状に形成される第２係合部と、を有し、第１係合部は、テープ部材の表裏方向中心線よりも意匠部側に延びて形成されることを特徴とする（６）に記載のスライドファスナー。
（８）第１係合部は、テープ収納溝の意匠部側の端部より表裏方向内側に形成されることを特徴とする（７）に記載のスライドファスナー。
（９）意匠部は、湾曲形状を呈した半球形状を有することを特徴とする（６）〜（８）のいずれかに記載のスライドファスナー。
（１０）一対のファスナーエレメント列が直線状に噛み合った状態において、第１係合部の上下方向の長さは、互いに隣り合う意匠部間の隙間の上下方向の長さより短く設定されることを特徴とする（７）に記載のスライドファスナー。
（１１）第２係合部は、テープ部材の表裏方向中心線の近傍から噛合部の裏側端部に亘って形成されることを特徴とする（７）に記載のスライドファスナー。
【手続補正３】
【補正対象書類名】明細書
【補正対象項目名】０００８
【補正方法】変更
【補正の内容】
【０００８】
本発明のスライドファスナーによれば、上下フランジ間の隙間の上下方向寸法が、５ｋｇｆの圧力で押し潰された際の芯紐の表裏方向寸法より小さいため、芯紐が上下フランジ間の隙間から外側に抜け出すことがなく、芯紐がその隙間に挟まるのを防止することができる。
【手続補正４】
【補正対象書類名】明細書
【補正対象項目名】００２５
【補正方法】変更
【補正の内容】
【００２５】
ここで、上記２本の芯紐１３ａに加わる圧力は、表裏方向寸法Ｌ５に相当し、本発明のテープ部材１２を衣服やバックなどの被着体に取り付けて使用した場合にテープ部材１２にかかる横引き力を想定して、５ｋｇｆとする。すなわち、本発明では、上下フランジ３３ａ，３３ｂ間の隙間Ｓ３の上下方向寸法Ｌ４が、５ｋｇｆの圧力で押し潰された際の芯紐１３ａの表裏方向寸法Ｌ５より小さく設定されることで、被着体にテープ部材１２を取り付けて使用した場合でも、横引き力によって上下フランジ３３ａ，３３ｂ間の隙間Ｓ３に芯紐１３ａが挟まることを防止することができる。
【国際調査報告】
2011040167.tif 000017
2011040167.tif 000018
2011040167.tif 000019
2011040167.tif 000020